(57)【要約】【課題】  誘引したダニを粘着剤によって捉えて死滅させるダニ捕獲マットとして、使用時に高い誘引作用と強い粘着力による優れた捕獲能力を発揮できるものを提供する。【解決手段】  両面に粘着剤層２を設けた芯材シート１と、粘着剤層２の表面に貼着された剥離紙３と、ダニ用食餌６入りの多孔質通気性内袋７を封入した密封型外袋４と、多孔質通気性カバー５とを備え、使用時に前記剥離紙３を剥がし、露呈した粘着剤層２表面に、密封型外袋４を開封して取り出した多孔質通気性内袋７内のダニ用食餌６を散布するか、多孔質通気性内袋７の被着を行い、芯材シート１の全体に多孔質通気性カバー５を被せて一体のマット状とする。【選択図】                図１
2006333846.tif 000002
【特許請求の範囲】
【請求項１】
少なくとも片面に粘着剤層を設けた芯材シートと、該粘着剤層の表面に貼着された剥離紙と、密封したダニ用食餌袋と、多孔質通気性カバーとを備え、
使用時に前記剥離紙を剥がし、露呈した粘着剤層表面に、開封した前記ダニ食餌袋内の取り出したダニ用食餌を散布し、この芯材シートの体に前記多孔質通気性カバーを被せて一体のマット状とするように構成されてなるダニ捕獲マット。
【請求項２】
少なくとも片面に粘着剤層を設けた芯材シートと、該粘着剤層の表面に貼着された剥離紙と、ダニ用食餌入りの多孔質通気性内袋を封入した密封型外袋と、多孔質通気性カバーとを備え、
使用時に前記剥離紙を剥がし、露呈した粘着剤層表面に、前記密封型外袋を開封して取り出した多孔質通気性内袋内のダニ用食餌を散布するか、又は／及び該多孔質通気性内袋の被着を行い、この芯材シートの全体に前記多孔質通気性カバーを被せて一体のマット状とするように構成されてなるダニ捕獲マット。
【請求項３】
前記芯材シートが段ボール又は天然あるいは合成繊維芯材からなる請求項１又は２に記載のダニ捕獲マット。
【請求項４】
前記多孔質通気性カバーが天然素材の不織布からなる請求項１〜３のいずれかに記載のダニ捕獲マット。
【発明の詳細な説明】
【技術分野】
【０００１】
本発明は、畳、絨毯、敷物、布団、毛布、マットレス、ソファー、自動車の座席シート、クッション等に繁殖するダニ類を集めて捕獲するダニ捕獲マットに関する。
【背景技術】
【０００２】
近年、アルミサッシ等で屋外に対して密閉性の高い住環境が一般化するに伴い、室内で様々なダニ類が繁殖し易くなっており、直接に肌を刺されて痒みや腫れを生じるだけでなく、その死骸の断片や糞が室内の空気中に漂うハウスダストになり、これを吸入することがアトピー性皮膚炎の如きアレルギー性疾患や気管支喘息の如き呼吸器系疾患等の増加の一因になっている。
【０００３】
従来、室内のダニ対策としては、主として噴霧方式の殺虫剤や忌避剤が多用されていたが、これらに含まれる毒性の強い薬剤で住環境が汚染され、住人の健康を損なう懸念があり、特に乳幼児のいる家庭では問題になる上、殺虫剤では殺した死骸がハウスダストになって却ってアレルゲンを増加させることになりかねず、また毒性のためにダニが多く棲息する寝具類には使用しにくいから、防除効率もよくはなかった。
【０００４】
そこで、最近において、食餌性及び臭香性のダニ誘引物質と毒性のない殺ダニ物質との混合物をシートに噴霧又は塗着し、このシートを多孔性の袋内に収容したダニ捕獲器（特許文献１）や、不織布の両面に粘着剤とダニ誘引物質とを塗布し、その塗布面に通気性の外シート層を積層した防ダニシート（特許文献２）が提案されている。
【特許文献１】特開２００１−８９３１０号公報
【特許文献２】特開２００２−２５３１０３号公報
【０００５】
しかしながら、前者のダニ捕獲器では、毒性のない殺ダニ物質としてシリカゲル等の多孔質で吸水発熱を生じる物質を使用し、誘引したダニを吸水による発熱で死滅させることになっているが、実際の殺ダニ作用を得られることは少ない。また、後者の防ダニシートは、誘引したダニを粘着剤で捉えて死滅させるものであるが、概して製造から実際に使用されるまでに多くの日数が費やされ、その間に粘着剤の粘着力が低下すると共に誘引物質の劣化も避けられず、もって使用時の捕捉作用及び誘引作用が不充分になるため、大きな捕獲能力を発揮できないという難点があった。
【発明の開示】
【発明が解決しようとする課題】
【０００６】
本発明は、上述の情況に鑑み、ダニ誘引物質で誘引したダニを粘着剤によって捉えて死滅させるダニ捕獲マットとして、使用時に高い誘引作用と強い粘着力による優れた捕獲能力を発揮できるものを提供することを目的としている。
【課題を解決するための手段】
【０００７】
上記目的を達成するために、本発明の請求項１に係るダニ捕獲マットは、図面の参照符号を付して示せば、少なくとも片面に粘着剤層２を設けた芯材シート１と、該粘着剤層２の表面に貼着された剥離紙３と、密封したダニ用食餌袋（密閉型外袋４）と、多孔質通気性カバー５とを備え、使用時に前記剥離紙３を剥がし、露呈した粘着剤層２表面に、開封した前記ダニ食餌袋４内のダニ用食餌６を散布し、その全体に前記多孔質通気性カバー５を被せて一体のマット状とするように構成されてなる。
【０００８】
また、請求項２の発明に係るダニ捕獲マットは、少なくとも片面に粘着剤層２を設けた芯材シート１と、該粘着剤層２の表面に貼着された剥離紙３と、ダニ用食餌６入りの多孔質通気性内袋７を封入した密封型外袋４と、多孔質通気性カバー５とを備え、使用時に前記剥離紙３を剥がし、露呈した粘着剤層２表面に、前記密封型外袋４を開封して取り出した多孔質通気性内袋７内のダニ用食餌６を散布するか、又は／及び該多孔質通気性内袋７の被着を行い、その全体に前記多孔質通気性カバー５を被せて一体のマット状とするように構成されてなる。
【０００９】
また、上記請求項１又は２のダニ捕獲マットにおいて、請求項３の発明では前記芯材シート１が段ボール又は天然あるいは合成繊維芯材からなる構成、請求項４の発明では前記多孔質通気性カバー５が天然素材の不織布からなる構成、をそれぞれ採用している。
【発明の効果】
【００１０】
請求項１及び２の発明に係るダニ捕獲マットによれば、その使用に際し、剥離紙を剥がして粘着剤層の表面を露呈させると共に、密閉した袋内からダニ食餌又は該ダニ食餌入りの多孔質通気性内袋を取り出し、該粘着剤層の表面に被着するから、未劣化のダニ用食餌による高い誘引作用を発揮できる上、この誘引作用で集まって多孔質通気性カバー内に侵入してきた多数のダニを粘着剤層の強い粘着力で逃さず拘束して死滅させることができ、もって大きな捕獲能力による極めて高い防ダニ効果が得られる。
【００１１】
請求項３の発明によれば、芯材シートが段ボール又は天然あるいは合成繊維芯材からなるため、ダニ捕獲マットが軽量で且つ腰の強いものとなり、布団や敷物の下に敷いたりする際の取扱い性がよく、また当該芯材シートを安価に製作できるという利点がある。
【００１２】
請求項４の発明によれば、多孔質通気性カバーが天然素材の不織布からなるため、内部のダニ用食餌の臭気成分の外部放散とダニの内側への侵入がより容易になり、それだけ除ダニ効果が増大すると共に、該カバー自体を安価に製作できるという利点がある。
【発明を実施するための最良の形態】
【００１３】
以下、本発明に係るダニ捕獲マットの実施形態について、図面を参照して具体的に説明する。図１は当該ダニ捕獲マットの使用前の状態を示す一部破断斜視図、図２及び図３は使用時の状態を模式的に示す縦断面図である。なお、図２及び図３では実際よりも厚み方向（図の上下方向）を強調（拡大）して示している。
【００１４】
このダニ捕獲マットは、使用前の状態では、図１に示すように、両面に粘着剤層２を形成した矩形板状の芯材シート１と、その各粘着剤層２の表面に貼着された剥離紙３，３と、ダニ用食餌６入りの多孔質通気性内袋７を封入した矩形の密封型外袋４と、多孔質通気性カバー５とで１セットになっている。
【００１５】
ここで、芯材シート１には段ボール紙又は綿などの天然繊維あるいはナイロンやビニール繊維などの合成繊維からなる芯材が用いられ、密封型外袋４にはアルミ蒸着フィルムやアルミ箔ラミネートフィルムが、多孔質通気性内袋７には不織布が、それぞれ好適に使用される。なお、前記の繊維芯材としては、布製ベルト等に使用されているような硬い厚地の編物が好適である。また、多孔質通気性カバー５は、厚地の多孔質シート等を二つ折りにして周縁に縁布８を縫着したものであり、二枚の矩形のカバー片５ａ，５ｂが一側縁部で一体化した形になっている。しかして、芯材シート１は多孔質通気性内袋７よりも一回り大きく、更に多孔質通気性カバー５は芯材シート１よりも一回り大きくなっている。
【００１６】
一方、多孔質通気性内袋７内のダニ用食餌６としては、ビール酵母、米麹、菓子類を始めとする種々の食品粉、ペットフードの粉末形態で使用される。
【００１７】
このダニ捕獲マットを使用に際しては、図２及び図３で示す二通りの使用形態を選択できる。まず、一つの使用形態では、使用の直前に密封型外袋４を開封して多孔質通気性内袋７を取り出すと共に、芯材シート１の一面側の剥離紙３を剥がし、露呈した粘着剤層２の表面に多孔質通気性内袋７内のダニ用食餌６の略半量を散布し、この散布面を下にして拡げた多孔質通気性カバー５のカバー片５ａ上に載置する。そして、該芯材シート１の上になった他面側の剥離紙３を剥がし、露呈した粘着剤層２の表面の中央寄りに、残分のダニ用食餌６が入った多孔質通気性内袋７を被着させ、その上に多孔質通気性カバー５のカバー片５ｂを被せる。これにより、カバー５の両カバー片５ａ，５ｂが芯材シート１の両面の粘着剤層２に接着し、全体が図２で示すように一体のマット状となる。
【００１８】
他の使用形態では、やはり使用の直前に密封型外袋４を開封して多孔質通気性内袋７を取り出すと共に、芯材シート１の一面側の剥離紙３を剥がし、露呈した粘着剤層２の表面に多孔質通気性内袋７内のダニ用食餌６の略半量を散布し、この散布面を下にして拡げた多孔質通気性カバー５のカバー片５ａ上に載置する。そして、次に該芯材シート１の上になった他面側の剥離紙３を剥がすが、この露呈した粘着剤層２の表面にも残分のダニ用食餌６を散布し、その多孔質通気性カバー５のカバー片５ｂを被せ、もってカバー５の両カバー片５ａ，５ｂを芯材シート１の両面の粘着剤層２に接着させ、全体を図３で示すように一体のマット状とする。
【００１９】
このようなダニ捕獲マットは、例えば畳とその上に敷設される布団や敷物あるいはマットレス等との間、押入れ等に収納される布団や毛布の隙間、床と絨毯やマットとの間、ソファーや自動車の座席シート上、クッションの下等、ダニが棲息・繁殖し易い部位に配置することにより、内部のダニ用食餌６による誘引作用でダニを集め、多孔質通気性カバー５の内側へ侵入したダニ類を粘着剤層２の粘着力で絡め取って捕獲するものである。
【００２０】
しかして、図２及び図３のいずれの使用形態においても、粘着剤層２の表面が使用直前まで剥離紙３に保護され、空気との接触による経時的な粘着成分の揮発や硬化、変質、劣化等がないから、剥離紙３を剥がして露呈した該表面が強い粘着力を保持する上、やはり使用直前に密封型外袋４を開封してダニ食餌６入りの多孔質通気性内袋７を取り出すから、ダニ食餌６も常に経時的な劣化変質や腐敗等のない状態で使用でき、もって未劣化のダニ用食餌６による高い誘引作用を発揮するから、極めて高い除ダニ効果が得られる。また、このようなダニ捕獲マットでは、保管中の粘着剤層２やダニ用食餌６の劣化が抑制されるから、使用期限（品質保証期間）を長く設定できるという利点がある。
【００２１】
なお、捕獲対象のダニ類としては、チリダニ、コナダニ、コナヒョウダニ、ササラダニ、ツメダニ、ホコリダニ、ニクダニ、イエダニ等、一般家庭で検出される多種類のものが挙げられる。
【００２２】
上記実施形態では密封型外袋４にダニ食餌６入りの多孔質通気性内袋７を封入しているが、例えば図３のように粘着剤層２の表面にダニ食餌６を散布する構成では、多孔質通気性内袋７を用いず、密封型外袋４と同様の密封型袋内にダニ食餌６を直接に封入し、使用直前に該密封型袋を開封してダニ食餌６を散布する構成としてもよい。また逆に、２つの多孔質通気性内袋７を用い、内部のダニ食餌６を出さずに、これら内袋７，７を芯材シート１の両面の粘着層２，２に各々被着させる構成としてもよい。更に、本発明のダニ捕獲マットは芯材シート１の片面だけに粘着剤層２を備える構成も包含する。ただし、芯材シート１の両面に粘着剤層２を設けた構成では、前記の畳と布団との間や、収納状態の布団や毛布の隙間等、両側にダニの棲息・繁殖する物品がくる状態に配置することで、両側から効率よくダニ捕獲を行えるという利点がある。
【００２３】
芯材シート１としては、種々の材質のものを使用できるが、既述のような段ボール又は天然あるいは合成繊維芯材を用いれば、ダニ捕獲マットが軽量で且つ腰の強いものとなり、布団や敷物の下に敷いたりする際の取扱い性がよく、また当該芯材シート１を安価に製作できるという利点がある。
【００２４】
粘着剤層２としては、特に組成的な制約はないが、言うまでもなく粘着力の強いものが好ましく、粘着方式のゴキブリ捕獲器や鼠取り器に使用される粘着剤を好適に使用できる。ただし、このダニ捕獲マットでは、ダニを薬剤で殺すのではなく拘束して死滅させればよいから、粘着剤層２中に殺虫剤成分のような有毒物質を含まないことが推奨され、更に安全衛生面より粘着剤層２中に指定化学物質も含まない方がよい。
【００２５】
粘着剤層２と多孔質通気性カバー５とは、使用中の圧力で粘着成分が外表面まで滲み出すことがないように、両者の厚み関係を設定することが望ましい。しかして、多孔質通気性カバー５としては、厚手で起毛状の織布、厚地の不織布、粗目で柔軟な紙シート等を使用できる。特に、コットン等の天然素材からなる厚地の不織布は、ダニ用食餌の臭気成分の外部放散性とダニの侵入性に優れ、それだけ除ダニ効果が増大すると共に、該カバー５自体を安価に製作できるという利点がある。
【００２６】
なお、ダニ用食餌６には、ダニ誘因力をより高めるために、動物性や植物性の油脂や酒類等の臭香性ダニ誘引物質を混入してもよい。その他、本発明においては、各構成部材の形状等、細部構成については実施形態以外に種々設計変更可能である。
【図面の簡単な説明】
【００２７】
【図１】本発明の一実施形態に係るダニ捕獲マットの構成材料の使用前の状態を示す一部切欠斜視図である。
【図２】同ダニ捕獲マットの一使用形態を模式的に示す縦断面図である。
【図３】同ダニ捕獲マットの他の使用形態を模式的に示す縦断面図である。
【符号の説明】
【００２８】
１    芯材シート
２    粘着剤層
３    剥離紙
４    密封型外袋（密封したダニ用食餌袋）
５    多孔質通気性カバー
６    ダニ用食餌
７    多孔質通気性内袋
【図１】
2006333846.tif 000003
【図２】
2006333846.tif 000004
【図３】
2006333846.tif 000005